(57)【要約】【課題】照明器具を取替える場合のユーザーのコスト負担を抑え、ユーザー自身で取付けや移設ができる汎用性を備え、引掛接続器を含む照明器具のメンテナンスなど運用コストを抑えた、直流照明用引掛シーリングキャップを提供する。【解決手段】直流照明用引掛シーリングキャップは、既設の引掛接続器に接続される直流照明用引掛シーリングキャップであって、引掛接続器に係合する電源端子７と、電源端子７に接続されたＡＣ／ＤＣコンバータと、ＡＣ／ＤＣコンバータに接続されたＤＣジャック部２とを備えている。一般家屋や施設の至るところにある引掛接続器にユーザー自身で設置でき、可搬性と汎用性を同時に実現する。【選択図】図１
2017016986.tif 000002
【特許請求の範囲】
【請求項１】
既設の引掛接続器に接続される直流照明用引掛シーリングキャップであって、
前記引掛接続器に嵌合する電源端子と、
前記電源端子に接続されたＡＣ／ＤＣコンバータと、
前記ＡＣ／ＤＣコンバータに接続されたＤＣジャック部と、を備えた
直流照明用引掛シーリングキャップ。
【請求項２】
前記ＡＣ／ＤＣコンバータに接続された調光回路を更に有し、前記ＤＣジャック部より複数系統の直流電力を供給する
請求項１に記載の直流照明用引掛シーリングキャップ。
【請求項３】
既設の引掛接続器に接続される直流照明用引掛シーリングキャップであって、
本体と、
前記本体の上面に配設され、前記引掛接続器に嵌合する電源端子と、
前記本体内に設けられ、前記電源端子に接続されたＡＣ／ＤＣコンバータと、
前記本体の下面に配設され、前記ＡＣ／ＤＣコンバータに接続されたＤＣジャック部と、
前記本体の下面に配設された照明器具吊下げ用のフック部と、
前記本体に装着され、前記ＤＣジャック部及び前記フック部を覆うカバー部と、
を備えた
直流照明用引掛シーリングキャップ。
【請求項４】
前記ＡＣ／ＤＣコンバータに接続された調光回路を更に有し、前記ＤＣジャック部より複数系統の直流電力を供給する
請求項３に記載の直流照明用引掛シーリングキャップ。
【発明の詳細な説明】
【技術分野】
【０００１】
本発明は、照明装置を設置するために天井面に固定された引掛シーリングボディと組み合わされる引掛シーリングキャップに係り、特に照明器具に直流を供給する直流照明用引掛シーリングキャップに関する。
【背景技術】
【０００２】
近年、ＬＥＤを光源とする照明器具が市場に出回っているが、このＬＥＤを光源とする照明器具は電源としては直流を使用するため、器具毎にＡＣ／ＤＣコンバータを備えて商用交流電源から所定の直流電源に変換する構造になっている。
【０００３】
そのため、照明器具の交換等の場合には、ＡＣ／ＤＣコンバータも取り替えることになり、交換時のコストが高くなるという課題があった。つまり、ユーザー側から見れば器具の交換時に、ＡＣ／ＤＣコンバータは取り替えず、光源部分を主体とする照明器具のみの交換ができることが嘱望されている。
【０００４】
ここで、例えば、特許文献１では、ＬＥＤを光源とする照明器具にＡＣ／ＤＣコンバータを内蔵させる必要性を無くすことを可能とした引掛接続器が開示されている。
【先行技術文献】
【特許文献】
【０００５】
【特許文献１】特開２００６−２３６７１７号公報
【発明の概要】
【発明が解決しようとする課題】
【０００６】
しかしながら、特許文献１にある従来の技術では、既設の一般的な引掛接続器をＡＣ／ＤＣコンバータを備えた引掛接続器に取替える場合の作業は屋内配線工事に該当し、施工は所定の国家資格を得た技術者だけに限られるので、材料費などに加えて施工に伴う技術料などのコストが生じるという課題があった。
【０００７】
また、照明器具を別の部屋に移設する場合は屋内配線工事が伴うことからコストが高くなり、ユーザー側から見れば移設に手間がかかり手軽ではないという課題があった。
【０００８】
さらに、引掛接続器に内蔵されたＡＣ／ＤＣコンバータが故障した場合の器具の取替えは所定の国家資格を得た技術者に限られ、保守メンテナンスにかかるコストが高くなるという課題があった。
【０００９】
そして特に、従来技術では、ＡＣ／ＤＣコンバータから単一系統の直流電源を供給する回路構成、例えば図６（ｂ）に示される構成が用いられており、赤色・緑色・青色のＬＥＤ３４，３５，３６の組合せを光源とする照明器具にも関わらず単に照明のＯＮ／ＯＦＦか明るさの調整に限定され、ユーザーが自由に照明の発光色を調整できないという課題があった。
【００１０】
本発明は、このような課題に鑑みてなされたものであり、照明器具を取替える場合のユーザーのコスト負担を抑え、ユーザー自身で取付けや移設ができる汎用性を備え、引掛接続器を含む照明器具のメンテナンスなど運用コストを抑えた、直流照明用引掛シーリングキャップを提供することを目的とする。
【課題を解決するための手段】
【００１１】
上記したような課題を解決するために、本発明の一態様に係る直流照明用引掛シーリングキャップは、既設の引掛接続器に接続される直流照明用引掛シーリングキャップであって、前記引掛接続器に嵌合する電源端子と、前記電源端子に接続されたＡＣ／ＤＣコンバータと、前記ＡＣ／ＤＣコンバータに接続されたＤＣジャック部と、を備えている。
【００１２】
さらに、本発明の他の態様に係る直流照明用引掛シーリングキャップは、既設の引掛接続器に接続される直流照明用引掛シーリングキャップであって、本体と、前記本体の上面に配設され、前記引掛接続器に嵌合する電源端子と、前記本体内に設けられ、前記電源端子に接続されたＡＣ／ＤＣコンバータと、前記本体の下面に配設され、前記ＡＣ／ＤＣコンバータに接続されたＤＣジャック部と、前記本体の下面に配設された照明器具吊下げ用のフック部と、前記本体に装着され、前記ＤＣジャック部及び前記フック部を覆うカバー部と、を備えている。
【発明の効果】
【００１３】
本発明によれば、既設の引掛シーリングボディの取替え工事などを行わずとも、ＬＥＤを光源する照明器具に直流電源供給が可能になり、ユーザーにとって施工のコストが不要になる。さらに、ＡＣ／ＤＣコンバータが故障した場合にユーザー自身でＡＣ／ＤＣコンバータだけを交換できるので、保守にかかるコストが安価になる。
【００１４】
また、本発明によれば、ＬＥＤを光源とする照明器具側に従来の引掛シーリングキャップとＡＣ／ＤＣコンバータを備える必要が無くなり、照明器具の交換時に従来の引掛シーリングキャップとＡＣ／ＤＣコンバータが無駄になることもなく、そのためユーザーにとって照明器具交換のコストが安価になる。
【図面の簡単な説明】
【００１５】
【図１】本発明の一実施の形態に係る直流照明用引掛シーリングキャップの構成を示す斜視図である。
【図２】本発明の一実施の形態に係る直流照明用引掛シーリングキャップの構成を示す側面図である。
【図３】カバー部の開口部の様子を示す図である。
【図４】（ａ）は本体を下面から見た様子を示す平面図、（ｂ）は本体を上面から見た様子を示す平面図である。
【図５】本体内に配設されている電気回路の構成図である。
【図６】（ａ）は本発明の一実施の形態に係る直流照明用引掛シーリングキャップに接続可能なＬＥＤ照明器具の構成例を示す図、（ｂ）は従来技術に係るＬＥＤ照明器具の構成例を示す図である。
【発明を実施するための形態】
【００１６】
以下、図面を参照しつつ本発明の実施形態について説明する。
【００１７】
図１には本発明の一実施形態に係る直流照明用引掛シーリングキャップの構成を斜視図で示し、図２には直流照明用引掛シーリングキャップの構成を側面図で示し、その構成及び作用について詳細に説明する。この直流照明用引掛シーリングキャップは、家屋等に既設の引掛接続器としての引掛シーリングボディに取り付けて使用されるものである。引掛シーリングボディは、引掛刃用刃受部、配線接続端子、及び絶縁物等からなる。詳細は後述するが、引掛刃用刃受部に引掛シーリングキャップの電源端子が嵌合される。
【００１８】
図１，図２に示されるように、直流照明用引掛シーリングキャップは、本体１とカバー部５とで構成されている。本体１は、円柱形状であり、下面には２か所のＤＣジャック部２と照明器具吊下げ用フック３が配設されている。本体１の上面には、引掛シーリングボディ用の電源端子７が配設されている。また、本体１の側面の下面より所定範囲のところまでにはカバー部５を装着するためのネジ山４が設けられている。本体１内部には電気回路が設けられているが、その詳細は図５で後述する。
【００１９】
一方、カバー部５は、円柱形状であり、上部開口の中空体であり、下面にはその中央部に照明器具を吊るす際に線材等を通す開口部６が設けられている。さらに、その側面の内側には上部から所定範囲のところまでに本体１に装着するための不図示のネジ溝が設けられている。このネジ溝に本体１のネジ山４を螺合させることが本体１とカバー部５とは一体となる。実際の装着に際しては、照明器具の線材等を開口部６に通し、本体１のフック３に照明器具を吊下げた後、カバー部５を本体１に螺合させる。尚、カバー部５の開口部６の様子は図３に詳細に示されている。
【００２０】
次に、図４（ａ）には本体１を下面から見た様子を示し、図４（ｂ）には本体１を上面から見た様子を示し、更に詳細に説明する。
【００２１】
図４（ａ）に示されるように、本体１の下面のＤＣジャック部２は、より詳細には、２か所設けられており、それぞれがＤＣ１プラス端子２ａ、ＤＣ２プラス端子２ｂ、ＤＣ３プラス端子２ｃ、及びＤＣ４プラス端子２ｄと、を有している。更に、ＤＣマイナス端子２ｅを有している。
【００２２】
一方、図４（ｂ）に示されるように、本体１の上面には日本工業規格のJISC8310に準拠した引掛刃を兼ねた電源端子７が設けられており、引掛シーリングボディの引掛刃用刃受部に嵌合することによって、電気的及び機械的に接続ができるようになっている。つまり、家屋や施設に一般的に普及している引掛シーリングボディとの嵌合及び取外しが手軽にできる構造になっている。
【００２３】
次に図５には本体１内に設けられる電気回路の構成例を示し説明する。同図に示されるように、本体１内には、電気回路として、ＡＤ／ＤＣコンバータ２０と調光回路２１とが設けられている。ＡＤ／ＤＣコンバータ２０は、電源端子７を介して商用電源（ＡＣ１００〜２００Ｖ等）に接続されており、交流電源を直流電源に変換し、調光回路２１に供給する。調光回路２１は、この直流電源を受けて調整した後、ＤＣジャック部２を介して直流照明器具に供給する。調光回路２１を設けない場合には、ＡＤ／ＤＣコンバータ２０の出力がＤＣジャック部２に電気的に接続されることになる。
【００２４】
従って、上記構成において、この実施形態に係る直流照明用引掛シーリングキャップを商用電源に接続された引掛シーリングボディに取り付けると、直流照明用引掛シーリングボディの本体１の電源端子７を介して得られた交流電源が本体１内のＡＣ／ＤＣコンバータ２０で直流電源に変換され、更に本体１内の調光回路２１で調整された直流電源がＤＣジャック部２に接続された直流照明器具に供給される。なお、このとき、直流照明器具は、直流照明用引掛シーリングキャップの照明器具吊下げ用フック３に鎖ワイヤなどを取付けて繋ぐことで、天井から吊下げて使うことができる。
【００２５】
ここで、図６（ａ）には、本実施形態に係る直流照明用引掛シーリングキャップに接続される照明機器の構成例を示し説明する。ＬＥＤ３１、３２、３３の照度は、調光回路２１からの直流電力（図５のＤＣ１，ＤＣ２およびＤＣ３）と、図６（ａ）で示すＬＥＤ照明装置側の抵抗値Ｒ１、Ｒ２、Ｒ３の組み合わせで決まることを踏まえると、調光回路２１からの３系統の直流電力の値を同一にすることで、ＬＥＤ照明機器側の抵抗値Ｒ１、Ｒ２、Ｒ３の組合せで予め決定し意図されたＬＥＤ照明の色を忠実に再現することができる。しかも、調光回路２１で供給する３系統の直流電力の値を各々変化せることで、自由に照明の色調を変化させることができる。
【００２６】
以上説明したように、本発明の一実施形態によれば、引掛シーリングボディが備っている場所であれば、工具を使う必要もなく、誰でも直流照明用の電源を設置することができる。これにより施工や移設の為の費用を削減することができる。
【００２７】
また、先に図５に示したような３系統の直流電源ＤＣ１、ＤＣ２、及びＤＣ３は調光回路２１から異なる独立した直流電力を供給することから、照明の照度をユーザーが手軽に調整できる機能を提供できる。例えば、３系統それぞれに、赤色、緑色、及び青色のＬＥＤを接続することにより、調光回路２１で光３原色の照度を変化させることで、可視光色の調整をユーザーが自由に行うことができる。
【００２８】
このほか、ＬＥＤ照明器具への取替えは単なる蛍光灯や白熱電球の置換えではなく、ユーザーの好みで照明の発光色を調整できる潜在ニーズを満たすものである。即ち、本発明によれば、ＬＥＤを光源とする照明器具で電球色や昼白色などユーザーが好みに応じて自由に発光色を調整することもできる。
【００２９】
このように、本発明の一実施形態によれば、既設の引掛接続器に接続される直流照明用引掛シーリングキャップであって、引掛接続器に係合する電源端子７と、電源端子７に接続されたＡＣ／ＤＣコンバータ２０と、ＡＣ／ＤＣコンバータ２０に接続されたＤＣジャック部２とを備えた直流照明用引掛シーリングキャップが提供される。ここで、ＡＣ／ＤＣコンバータ２０に接続された調光回路２１を更に有し、前記ＤＣジャック部２より複数系統の直流電力を供給するようにしてもよい。
【００３０】
また、本発明の一実施形態によれば、既設の引掛接続器に接続される直流照明用引掛シーリングキャップであって、本体１と、本体１の上面に配設され、前記引掛接続器に係合する電源端子７と、本体１内に設けられ、電源端子７に接続されたＡＣ／ＤＣコンバータ２０と、本体１の下面に配設され、ＡＣ／ＤＣコンバータ２０に接続されたＤＣジャック部２と、本体１の下面に配設された照明器具吊下げ用のフック部３と、本体１に装着され、ＤＣジャック部２及びフック部３を覆うカバー部５とを備えた直流照明用引掛シーリングキャップが提供される。ここでも、ＡＣ／ＤＣコンバータ２０に接続された調光回路２１を更に有し、ＤＣジャック部２より複数系統の直流電力を供給してもよい。
【００３１】
従って、本発明の実施形態によれば、一般家屋や施設の至るところにある引掛シーリングボディにユーザー自身で設置でき可搬性と汎用性を同時に備えた直流照明用引掛シーリングキャップが提供される。
【００３２】
さらに、本発明の実施形態によれば、照明装置を天井から吊り下げて設置するための本来の機構とＡＣ／ＤＣコンバータ及び調光回路を備えた直流照明用引掛シーリングキャップが提供される。そして、本発明の実施形態によれば、それぞれ３系統が電力可変の直流電源をひと組として照明装置に給電する機能を備えた直流照明用引掛シーリングキャップが提供される。
【００３３】
以上、本発明の一実施形態について説明したが、本発明はこれに限定されることなくその趣旨を逸脱しない範囲で種々の改良・変更が可能であることは勿論である。
【００３４】
例えば、本体及びカバー部の形状は円柱形状に限定されるものではなく、直方体形状等種々の形状とすることができる。
【００３５】
さらに、本発明の実施形態に係る直流照明用引掛シーリングキャップは、例えばJIS C8366などで定めるライティングダクトレールへの取付器具としても採用することが可能である。その場合には、電源端子の形状は変更があるが、その他の構成は改良を加えることなく、対応可能である。この場合も、汎用性や直流照明の移設時に国家資格や大規模な施工を伴わないという利点がある。上記引掛接続器には、このライティングダクトレールも概念上含まれるものとする。
【００３６】
また、前述した実施形態では、天井面に配設された引掛シーリングボディ等の引掛接続器の刃受部に電源端子を嵌合させる例を示したが、これに限定されることなく、壁面に配設された引掛接続器具に嵌合される場合も含まれることは勿論である。
【００３７】
さらに、前述した実施形態に係る引掛シーリングキャップは、ＬＥＤを用いた直流照明装置のほか、電球を用いた一般的な照明装置を接続することも可能である。
【００３８】
さらに、図１において、本体１に設けられたネジ山４には、カバー部５を螺合させる役割のほかに、ネジ山４に装着可能なネジ溝が形成された照明器具を直接装着させる役割も担うことができる。その場合、引掛シーリングキャップの本体１のネジ山４と照明器具のネジ溝とを勘合させることで、所謂引掛シーリングキャップと照明器具とが一体化した構造となり、天井面などに照明器具を手軽に取付けることができるようになる。この場合には、照明器具吊下げ用のフックは不要となる。
【符号の説明】
【００３９】
１  本体
２  ＤＣジャック部
２ａ  ＤＣ１プラス端子
２ｂ  ＤＣ２プラス端子
２ｃ  ＤＣ３プラス端子
２ｄ  ＤＣ４プラス端子
２ｅ  ＤＣマイナス端子
３  照明器具吊下げ用のフック
４  カバー部を取り付けるためのネジ山
５  カバー部
６  照明器具を吊るす際に線材等を通す開口部
７  引掛シーリングボディ用の電源端子
【図１】
2017016986.tif 000003
【図２】
2017016986.tif 000004
【図３】
2017016986.tif 000005
【図４】
2017016986.tif 000006
【図５】
2017016986.tif 000007
【図６】
2017016986.tif 000008